(57)【要約】【課題】容器本体の口部に装着されたポンプ装置を介して、内容物を容器本体に容易に充填することのできるポンプ付き容器を提供する。【解決手段】容器本体１１の口部１１ａにポンプ装置１２が装着されており、このポンプ装置１２から容器本体１１に内容物を充填するポンプ付き容器１０であって、ポンプ装置１２は、容器本体１１に収容した内容物をポンプ装置１２に導入する逆止弁１３を備えると共にシリンダとして機能する内筒１５を有する。内筒１５は、容器本体１１の口部１１ａに設けられた外筒部１６に対するスライド移動によって、逆止弁１３と離間して設けられた通液孔１７を外筒部１６の内面１６ａで開閉するようになっている。内容物の補充時に、内筒１５をスライド移動させ、外筒部１６の内面１６ａによる通液孔１７の閉塞状態を開放して、ポンプ装置１２の吐出口１８から通液孔１７を経て容器本体１１の内部に至る充填流路Ｓを形成する。【選択図】図２
2010064757.tif 000002
【特許請求の範囲】
【請求項１】
容器本体の口部に内容物を吐出するポンプ装置が装着されたポンプ付き容器であって、
前記ポンプ装置は、前記容器本体に収容された内容物を前記ポンプ装置に導入する逆止弁を底部に備えると共にシリンダとして機能する内筒を有し、
該内筒は、前記逆止弁と離間した位置に設けられた通液孔を備え、外筒部に対して上下方向にスライド可能に取り付けられ、前記内筒を前記外筒部に対してスライド移動させることで前記通液孔を、前記外筒部の内面で塞がれた閉塞状態と、前記内筒の内部と前記容器本体の内部とが前記通液孔で連通した連通状態とを切り替え可能に構成され、
前記内筒をスライド移動させることにより連通状態として、前記ポンプ装置の吐出口から前記通液孔を経て前記容器本体の内部に至る充填流路を形成するポンプ付き容器。
【請求項２】
前記外筒部が、前記容器本体の口部に装着された外筒部材によって構成される請求項1記載のポンプ付き容器。
【請求項３】
前記通液孔は、前記逆止弁を備える前記内筒の底部の周縁部分を形成する、底部中央に向けて下方に傾斜する底部テーパー部に設けられており、前記外筒部は、前記底部テーパー部と同様の傾斜で内側に張り出して設けられた張り出しテーパー部を有しており、該張り出しテーパー部による内面によって、前記通液孔を開閉するようになっている請求項1又は２に記載のポンプ付き容器。
【請求項４】
前記容器本体が、チューブ容器である請求項１〜３のいずれかに記載のポンプ付き容器。
【請求項５】
容器本体の口部に内容物を吐出するポンプ装置が装着されたポンプ付き容器への内容物の充填方法であって、
前記ポンプ装置の逆止弁を経由しない迂回流路を前記ポンプ装置内に形成してから、前記ポンプ装置の吐出口より内容物を充填する、ポンプ付き容器への内容物の充填方法。
【発明の詳細な説明】
【技術分野】
【０００１】
本発明は、ポンプ付き容器及びポンプ付き容器への内容物の充填方法に関し、特に容器本体の口部に装着されたポンプ装置を介して容器本体に内容物を補充できるようにしたポンプ付き容器及びポンプ付き容器への内容物の充填方法に関する。
【背景技術】
【０００２】
容器本体の口部に内容物を吐出するポンプ装置が装着された、例えばボトル形状を有するポンプ付き容器が知られている。このようなポンプ付き容器では、使用によって内容物が減少した際に、容器本体の口部からポンプ装置を取り外して内容物を補充した後に、再度ポンプ装置を装着して、ポンプ付き容器として引続き使用することができる。
【０００３】
一方、例えば酸素によって劣化する内容物を収容する容器は、高い酸素バリア性が必要とされており、優れた酸素バリア性を備える容器として、アルミチューブ容器等のチューブ容器が広く用いられている。また、チューブ容器においても、使い勝手を向上させるために、容器本体の口部にポンプ装置を装着したポンプ付きチューブ容器が提案されている（例えば、特許文献１参照）。特許文献１のポンプ付きチューブ容器では、容器本体の口部に装着したポンプ装置によって、容器本体に収容された内容物を吸引しつつ、ポンプ装置のノズル部から吐出させる。
【特許文献１】特開平８−１１９０５号公報
【発明の開示】
【発明が解決しようとする課題】
【０００４】
ポンプ付きチューブ容器においても、使用によって内容物が減少した際に、容器本体に内容物を補充して、引続き使用できるようにすることが望ましい。
【０００５】
しかしながら、従来のポンプ付きチューブ容器では、ポンプ装置が、負圧の作用によって容器本体に収容された内容物を当該ポンプ装置に導入するための逆止弁を備えているため、ポンプ装置を介して内容物を充填することはできなかった。また、ポンプ付きチューブ容器に限らず、その他のポンプ付き容器においても、口部に装着したポンプ装置を取り外すことなく、ポンプ装置から容器本体に内容物を充填できるようにすると便利な場合がある。
【０００６】
本発明は、容器本体の口部に装着されたポンプ装置を介して、内容物を容器本体に容易に充填することのできるポンプ付き容器及びポンプ付き容器への内容物の充填方法を提供することを目的とする。
【課題を解決するための手段】
【０００７】
本発明は、容器本体の口部に内容物を吐出するポンプ装置が装着されたポンプ付き容器であって、前記ポンプ装置は、前記容器本体に収容された内容物を前記ポンプ装置に導入する逆止弁を底部に備えると共にシリンダとして機能する内筒を有し、該内筒は、前記逆止弁と離間した位置に設けられた通液孔を備え、外筒部に対して上下方向にスライド可能に取り付けられ、前記内筒を前記外筒部に対してスライド移動させることで前記通液孔を、前記外筒部の内面で塞がれた閉塞状態と、前記内筒の内部と前記容器本体の内部とが前記通液孔で連通した連通状態とを切り替え可能に構成され、前記内筒をスライド移動させることにより連通状態として、前記ポンプ装置の吐出口から前記通液孔を経て前記容器本体の内部に至る充填流路を形成するポンプ付き容器を提供することにより、上記目的を達成したものである。
【０００８】
また、本発明は、容器本体の口部に内容物を吐出するポンプ装置が装着されたポンプ付き容器への内容物の充填方法であって、前記ポンプ装置の逆止弁を経由しない迂回流路を前記ポンプ装置内に形成してから、前記ポンプ装置の吐出口より内容物を充填する、ポンプ付き容器への内容物の充填方法を提供することにより、上記目的を達成したものである。
【発明の効果】
【０００９】
本発明のポンプ付き容器又はポンプ付き容器への内容物の充填方法によれば、容器本体の口部に装着されたポンプ装置を介して、内容物を容器本体に容易に充填することができる。
【発明を実施するための最良の形態】
【００１０】
図１に示す本発明の好ましい第１実施形態に係るポンプ付き容器１０は、例えば酸素によって劣化する内容物として、染毛剤が充填収容されるものであり、好ましくはチューブ容器である容器本体１１の口部１１ａにポンプ装置１２が装着された、ポンプ付きチューブ容器として用いられる。また、本第１実施形態のポンプ付き容器（ポンプ付きチューブ容器）１０は、使用によって容器本体１１に充填されていた内容物が減少した際や、容器本体１１に新たに内容物を充填する際に、ポンプ装置１２を口部１１ａに装着したまま、簡単な操作によって、当該ポンプ装置１２を介して容器本体１１に流動性のある内容物を補充したり充填したりできる機能を備えている。
【００１１】
そして、本第１実施形態のポンプ付き容器１０は、容器本体１１の口部１１ａに内容物を吐出するポンプ装置１２が装着されており、このポンプ装置１２を介して容器本体１１に内容物を充填できるようにしたポンプ付きのチューブ容器であって、図２（ａ），（ｂ）にも示すように、ポンプ装置１２は、容器本体１１に収容された内容物をポンプ装置１２に導入する逆止弁１３を底部１４に備えると共にシリンダとして機能する内筒１５を有しており、内筒１５は、容器本体１１の口部１１ａに設けられた外筒部１６に対してスライド可能に取り付けられており、外筒部１６に対するスライド移動によって、逆止弁１３と離間して設けられた通液孔１７を外筒部１６の内面１６ａで開閉するようになっており、内容物の補充時に、内筒１５をスライド移動させることにより外筒部１６の内面１６ａによる通液孔１７の閉塞状態を開放して、内筒１５の内部と容器本体１１の内部とが通液孔１７で連通した連通状態に切り替え、ポンプ装置１２の吐出口１８から通液孔１７を経て容器本体１１の内部に至る充填流路Ｓ（図２（ｂ）参照）を、逆止弁１３を経由しない迂回流路として形成するようになっている。
【００１２】
また、本第１実施形態では、内筒１５を摺動させるように案内して上下にスライド移動させる外筒部１６は、容器本体１１の口部１１ａに嵌め込むようにして装着されたスリーブ状の外筒部材１９によって構成されている。
【００１３】
さらに、本第１実施形態では、通液孔１７は、逆止弁１３を備える内筒１５の底部１４の周縁部分を形成する、底部１４中央に向けて下方に傾斜する底部テーパー部２０に設けられており、外筒部材１９による外筒部１６は、底部テーパー部２０と同様の傾斜で外筒部材１９の下端から内側に張り出して設けられた張り出しテーパー部２１を有しており、この張り出しテーパー部２１による内面１６ａによって、通液孔１７を開閉するようになっている。
【００１４】
本第１実施形態では、容器本体１１は、可撓性及び酸素バリア性を有するシート材料からなるチューブ容器となっている。このようなシート材料としては、例えばアルミラミネート樹脂が好ましく用いられる。また容器本体１１は、例えば内径が１０〜５０ｍｍ程度、高さ（長さ）が７０〜２００ｍｍ程度の大きさの、底部１１ｂが閉塞された円筒形状に形成される。
【００１５】
容器本体１１の口部１１ａに装着されるポンプ装置１２は、ポリオレフィン樹脂等の合成樹脂を用いて形成される。ポンプ装置１２は、同じくポリオレフィン樹脂等の合成樹脂を用いて形成される外筒部材１９の内側に収納された状態に組み付けられており、例えば外筒部材１９を口部１１ａの内面に融着接合することにより、外筒部材１９と共に容器本体１１の口部１１ａに装着される。ポンプ装置１２は、計量室２２を含む公知のポンプ機構を備えており、シリンダとして機能する内筒１５、内筒１５の内面に密着摺動する張出し摺接部２４を備えるピストン２３、内筒１５の底部１４に設けられた逆止弁１３、ピストン２３の下部に設けられた吐出弁２５等からなる。
【００１６】
ポンプ付き容器１０の使用時には、ピストン２３の上端の吐出口２３ａに吐出ノズル２６が装着され（図１参照）、この吐出ノズル２６を介してピストン２３をスプリング部材２７の付勢力に抗して押圧操作する。これによって、ポンプ装置１２の計量室２２に導入されていた内容物は、図２（ａ）に示すように、張出し摺接部２４と吐出弁２５との間に形成された隙間、及びピストン２３の軸筒部２８の側面に形成された流出開口２９を経て軸筒部２８の内側の吐出路に流入し、吐出口２３ａ及び吐出ノズル２６を介して吐出されることになる。
【００１７】
また、吐出ノズル２６及びピストン２３への押圧を解除すれば、スプリング部材２７の付勢力によってピストン２３及び吐出弁２５が上昇し、張出し摺接部２４と吐出弁２５との間の隙間が閉塞されて、内容物の吐出が停止されることになる。またピストン２３及び吐出弁２５の上昇によって計量室２２の内部が負圧になることにより、逆止弁１３が開放されて、容器本体１１から計量室２２に内容物が導入されることになる。
【００１８】
そして、本第１実施形態のポンプ付き容器１０は、口部１１ａに設けられた外筒部材１９による外筒部１６に対してポンプ装置１２が上下にスライド移動可能に取り付けられていることにより、当該ポンプ装置１２を介して容器本体１１に内容物の補充や充填ができる。
【００１９】
すなわち、本第１実施形態では、ポンプ装置１２の外殻部分を構成する内筒１５は、外筒部材１９の内周面に沿って案内されるようにして、外筒部材１９に対して上下にスライド移動できる。このようなスライド操作は、図２（ａ），（ｂ）に示すように、例えば外筒部材１９の上端縁部から上方に突出するように延設させた内筒１５の上端係止部１５ａを把持したり、当該上端係止部１５ａに形成した係止孔３０に専用の係止具を係止して、内筒１５を引き上げたり押し込むことによって、容易に行うことができる。
【００２０】
また、本第１実施形態では、外筒部材１９の上端部内側面には、凹凸段部となった位置決め被係合部３１ａが設けられていると共に、内筒１５の上端部外側面には、凹凸段部となった位置決め係合部３１ｂが設けられている。位置決め被係合部３１ａの凹凸段部に位置決め係合部３１ｂの凹凸段部を選択的に係合することにより、通液孔１７を閉塞した状態と通液孔１７を開放した状態とを切換えて、これらの状態のまま保持できるようになっている。通液孔１７は、図２（ａ）に示すように、内筒１５を押し込んで底部テーパー部２０を張り出しテーパー部２１に密着させることにより、この張り出しテーパー部２１による外筒部１６の内面１６ａによって閉塞される。この通液孔１７を閉塞した状態が、ポンプ付き容器１０を使用する状態である。図２（ｂ）に示すように、容器本体１１に内容物を充填する際には、内筒１５を引き上げて底部テーパー部２０を張り出しテーパー部２１から離間させることにより、通液孔１７を開放する。
【００２１】
上述の構成を備える本第１実施形態のポンプ付き容器１０によれば、容器本体１１の口部１１ａに装着されたポンプ装置１２を介して、内容物を容器本体１１に容易に充填することが可能になる。
【００２２】
すなわち、本第１実施形態によれば、外筒部１６としての外筒部材１９に対して内筒１５を引き上げるように上方にスライド移動させれば、図２（ｂ）に示すように、底部テーパー部２０が張り出しテーパー部２１から離間して、通液孔１７が開放されると共に、底部テーパー部２０と張り出しテーパー部２１との間に容器本体１１の内部への流路となる隙間が確保される。この状態でピストン２３を押圧操作すれば、張出し摺接部２４と吐出弁２５とが離間して、吐出口２３ａから軸筒部２８の内側の吐出路を経て流出開口２９を通過し、さらに張出し摺接部２４と吐出弁２５との間の隙間及び通液孔１７を通過し、底部テーパー部２０と張り出しテーパー部２１との間の隙間から容器本体１１の内部に至る、逆止弁１３を経ない充填流路Ｓが迂回流路として形成されることになる。
【００２３】
したがって、迂回流路を形成した後に、例えば図３（ａ），（ｂ）に示すように、充填用の内容物を収容した収容容器４０の上端接続口部４１に、吐出ノズル２６を取り外したポンプ付き容器１０を倒立させてこれの吐出口部３２を接続した状態で、ポンプ付き容器１０に押圧力を付与すれば、形成された充填流路Ｓを経て収容容器４０から内容物が容器本体１１にスムーズに流入してゆく。これによって、ポンプ装置１２を装着したままで、内容物を容器本体１１に容易に充填することが可能になる。
【００２４】
図４（ａ），（ｂ）に、本発明の好ましい第２実施形態に係るポンプ付き容器３３の要部を示す。本第２実施形態のポンプ付き容器３３は、上記第１実施形態のポンプ付き容器１０と略同様の構成を備える他、内筒１５には、これの上端部をコの字断面形状を有するように外側に折り返し延設させて、外筒部材１９の上端部を挟み込むようにして係止される挟込み係止部３４が形成されている。また、挟込み係止部３４の下端内側縁部から内側に突出して下端係止リブ３５が設けられており、挟込み係止部３４の外周面には外側に突出して滑止めリブ３６が設けられている。
【００２５】
一方、外筒部材１９には、これの上部外周面から外側に突出して、容器本体１１の口部１１ａの上端面に当接接合されると共に、内筒１５を押し込んだ際に、内筒１５の挟込み係止部３４の下端面を当接させるストッパーリブ３７が形成されている。また、外筒部材１９の上端部外周面には、内筒１５を引き上げた際に、挟込み係止部３４の下端係止リブ３５を係止させるストッパー段差部３８が設けられている。
【００２６】
そして、本第２実施形態では、図４（ａ）に示すポンプ付き容器３３を使用する際における、内筒１５を押し込んで挟込み係止部３４の下端面をストッパーリブ３７に当接させて通液孔１７を閉塞した状態と、図４（ｂ）に示す容器本体１１に内容物を充填する際における、内筒１５を引き上げて挟込み係止部３４の下端係止リブ３５をストッパー段差部３８に係止させて通液孔１７を開放した状態とを、切換えることができる。
【００２７】
本第２実施形態のポンプ付き容器３３によっても、上記第１実施形態のポンプ付き容器１０と同様の作用効果が奏される他、例えば挟込み係止部３４の外側から挟み込むようにして内筒１５の上端部を容易に把持することが可能になり、内筒１５を外筒部材１９に対して上下にスライド移動させて、通液孔１７が閉塞した状態と開放した状態とを切り替える操作を、さらにスムーズに行うことが可能になる。
【００２８】
なお、本発明は上記各実施形態に限定されることなく種々の変更が可能である。例えば、内筒をスライド移動させる外筒部は、容器本体の口部にスリーブ状の外筒部材を装着して形成する必要は必ずしも無く、容器本体の口部の内周面を補強する加工や、口部の内周面から張り出しテーパー部を設ける加工等を施して、容器本体の口部自体を外筒部として用いることもできる。
【００２９】
また、通液孔を内筒の底部周縁部分の底部テーパー部に設けて、張り出しテーパー部による外筒部の内面によって通液孔を開閉する必要は必ずしも無く、通液孔を逆止弁と離間した他の部分に設け、外筒部には張り出しテーパー部を設けることなく、その他の部分の内面によって通液孔を開閉することもできる。例えば、図５（ａ），（ｂ）に示すように、通液孔１７’を内筒１５の底部１４に近接する周壁部に横方向に貫通して設けると共に、外筒部１６の内周面に、通液孔１７’が形成された部分の周壁部と密着する密着段差部３９を設け、この密着段差部３９による内面１６ａによって通液孔１７’を開閉することもできる。
【００３０】
さらに、本発明のポンプ付き容器は、チューブ容器を容器本体とするポンプ付きチューブ容器である必要は必ずしも無く、ボトル容器等を容器本体とするポンプ付き容器など、その他の種々のポンプ付き容器でもよい。さらにまた、容器本体に収容される内容物は、酸素によって劣化する染毛剤でに限られず、流動性を有するその他の種々の内容物でもよい。
【図面の簡単な説明】
【００３１】
【図１】本発明の好ましい第１実施形態に係るポンプ付き容器を示す部分破断正面図である。
【図２】本発明の好ましい第１実施形態に係るポンプ付き容器の構成を説明する、（ａ）は容器を使用する状態の要部断面図、（ｂ）は内容物を充填する状態の要部断面図である。
【図３】ポンプ付き容器の容器本体に内容物を収容した収容容器から内容物を充填する状況を説明する、（ａ）略示斜視図、（ｂ）略示断面図である。
【図４】本発明の好ましい第２実施形態に係るポンプ付き容器の構成を説明する、（ａ）は容器を使用する状態の要部断面図、（ｂ）は内容物を充填する状態の要部断面図である。
【図５】本発明の好ましい他の形態のポンプ付き容器の構成を説明する、（ａ）は容器を使用する状態の要部断面図、（ｂ）は内容物を充填する状態の要部断面図である。
【符号の説明】
【００３２】
１０，３３  ポンプ付き容器（ポンプ付きチューブ容器）
１１  容器本体
１１ａ  容器本体の口部
１１ｂ  容器本体の底部
１２  ポンプ装置
１３  逆止弁
１４  内筒の底部
１５  内筒
１６  外筒部
１６ａ  外筒部の内面
１７  通液孔
１８  吐出口
１９  外筒部材
２０  底部テーパー部
２１  張り出しテーパー部
２３  ピストン
２５  吐出弁
２８  ピストンの軸筒部
２９  流出開口
Ｓ    充填流路
【図１】
2010064757.tif 000003
【図２】
2010064757.tif 000004
【図３】
2010064757.tif 000005
【図４】
2010064757.tif 000006
【図５】
2010064757.tif 000007